(57)【要約】  【課題】  従来、使用目的や使用形態が異なる家具同士は互いに転用が困難であり、また、転用しようという試みもなされていない。そのため、家具が役目を終えると引き続き使用できるか否かにかかわらず、廃棄されることが多く、資源の無駄遣いが問題となっている。  【解決手段】  本発明は家具本体に対して着脱可能なオプション部材を提供することで、家具を使用目的や使用形態に応じた機能および形状に容易に変更することを可能とし、家具が用済みとなった場合でも異なる態様の家具として転用することができ、購買コストの削減や資源の有効活用といった効果を実現できる。  【選択図】図８
2005074038.tif 000002
【特許請求の範囲】
【請求項１】
家具本体と、この家具本体に相対動作可能に設けた可動部材とを備え、前記家具本体および前記可動部材の少なくとも一方にオプション部材を着脱可能に装着できるようにした家具であって、前記家具本体および可動部材の少なくとも一方にオプション部材を取り付けた場合に、該オプション部材の存在により前記可動部材の前記家具本体に対する相対動作が禁止または抑制されるようにしたことを特徴とする家具。
【請求項２】
可動部材が天板である請求項1記載の家具。
【請求項３】
可動部材が幕板である請求項1記載の家具。
【請求項４】
家具本体が左右の脚体を備えたものであり、オプション部材が前記両脚体の外側に装着しうる側方幕板である請求項２又は３記載の家具。
【請求項５】
オプション部材が可動部材の家具本体に対する相対動作を直接的または間接的に禁止または抑制しうる幕板である請求項２又は３記載の家具。
【発明の詳細な説明】
【技術分野】
【０００１】
本発明はオプション部材を装脱することにより、全く異なる使用目的や使用形態を実現できるようにした家具に関するものである。
【背景技術】
【０００２】
従来、折りたたみ機能等を有した可動部材付き家具と、一度設置されると再度移動されることがない家具では用途が異なるため、それぞれの用途にあった製品が別々に製造され、使用されている。
【０００３】
具体的には、例えば会議室等において使用されるいわゆるフラップテーブルは、会議の人数や形式に応じて自由に移動させることができるようになっており、使用しない場合には可動部材である天板をフラップ動作させてテーブルの占有面積を縮小し、収納効率を高めることができるようになっている。（例えば、特許文献１及び特許文献２参照）。
【０００４】
一方、議会の会場に設置される議場用のテーブルは重厚で可動部分がなく、容易に移動できるようには設計されていない。
【０００５】
なお、従来から家具にオプション部材を装着できるようにしたものは種々開発されているが、従来のオプション部材は、装着される家具の機能を拡張するために用いられるものである。
【特許文献１】特開平１０−２１１０２６号公報
【特許文献２】特許第３４２７９６３号
【発明の開示】
【発明が解決しようとする課題】
【０００６】
従来、使用目的や使用形態が異なる家具同士は互いに転用が困難であり、また、転用しようという試みもなされていない。そのため、家具が役目を終えると引き続き使用できるか否かにかかわらず、廃棄されることが多く、資源の無駄遣いが問題となっている。
【０００７】
具体的には、前述したような重厚な議場用のテーブルが用済みになった場合、一般的な会議空間への転用は困難であるため、使い道がなく廃棄されることが多かった。このような問題は市町村の合併等が進行するにつれて顕在化するおそれがあり、議会の統合により、より多くの議場用テーブルが廃棄される可能性があるという問題が指摘されている。
【０００８】
本発明は、以上に述べた課題を解決することができる家具を提供しようとするものである。
【課題を解決するための手段】
【０００９】
すなわち、本発明に係る家具は、家具本体と、この家具本体に相対動作可能に設けた可動部材とを備え、家具本体および可動部材の少なくとも一方にオプション部材を着脱可能に装着できるようにし、家具本体および可動部材の少なくとも一方にオプション部材を取り付けた場合に、オプション部材により可動部材の相対動作が禁止または抑制されるようにしたことを特徴とする。
【００１０】
具体的には、可動部材が天板であり、かつ家具本体が左右の脚体を備えた、いわゆるフラップテーブルにおいて、オプション部材が前記両脚体に装着される側方幕板である態様が挙げられる。このようなものであれば、家具本体の側方に幕板が装着されることによって元の家具本体とは異なる意匠を実現でき、また、天板の動きを規制することができるので、フラップテーブルとは使用目的や使用形態が異なる家具に変身させることができる。
【００１１】
また、オプション部材が家具本体の前方下部に装着される、下部幕板である態様も挙げられる。この場合も家具本体の前方下部に幕板が装着されることによって意匠の変更および天板動作の規制が可能であるから、本来の家具本体とは使用目的や使用形態が異なる家具本体に変身させることができる。
【００１２】
また、家具本体が左右の両脚体を備える場合において、オプション部材が前記両脚体に装着される側方幕板である態様も挙げられる。このようものであれば、側方幕板によって意匠の変更ができ、また、側方幕板を幕板と略固定することで家具本体の可動部材の動作を規制することができるので、本来の家具本体とは使用目的や使用形態が異なる家具本体に変身させることができる。
【００１３】
さらに、家具本体が可動部材を備える場合において、オプション部材が家具本体の前方下部に装着される下部幕板である態様も挙げられる。
【００１４】
このようなものであれば、幕板の表面積が拡大し、従前の意匠とは異なるものとなり、また、下部幕板を家具本体に固定することで可動部材の動作を規制することができるので、本来の家具本体とは使用目的や使用形態が異なる家具本体に変身させることができる。
【発明の効果】
【００１５】
本発明は家具本体に対して着脱可能なオプション部材を提供することで、家具を使用目的や使用形態に応じた機能および形状に容易に変更することを可能とし、家具が用済みとなった場合でも異なる態様の家具として転用することができ、購買コストの削減や資源の有効活用といった効果を実現できる。
【発明を実施するための最良の形態】
【００１６】
以下に本発明を実施するための最良の形態を、図１から図９を参照にして説明する。本実施形態の家具１は、図１及び図２に示すように、家具本体２と、この家具本体２に相対動作可能に設けた可動部材たる天板３と、この天板３を介して前記家具本体２に相対動作可能に設けた可動部材たる上部幕板４とを具備してなる。そして、この家具１は、図７から図９に示すように、前記家具本体２に、オプション部材である左右の側方幕板１２、１２および下部幕板１９を着脱可能に装着しうるようにしてある。
【００１７】
まず、図１および図２を主に参照して、オプション部材を装着していない状態における家具１の構成を説明する。
【００１８】
この家具１の家具本体２は、左右の脚体５、５と、これら脚体５に設けた天板支持装置９と、前記左右の脚体５、５を連結する横架材１０とを具備している。
【００１９】
各脚体５は、脚ベース５aと、この脚ベース５aの中間部から立設した脚柱５bとを備えている。脚ベース５aは、非円形の横断面をなすもので、例えば角柱パイプ材によって作られており、前後両端部に図示しない雌ねじ部を有した接地体取付部を備えている。そして、これら各接地体取付部にキャスタ６を前記雌ねじ部を利用してそれぞれ着脱可能に装着している。脚柱５bは、専用ブラケット１５を用いて側方幕板１２を取り付けた場合に、専用ブラケット１５および側方幕板１２が脚柱５bに対して回動しないように非円形の横断面形状に形成されており、例えば角柱パイプ材によって形成される。そして、その上端部に天板支持装置９の一構成要素をなす固定ブラケット９ａを設けている。
【００２０】
天板支持装置９は、特許文献２に記載されたものと同様の構成をなすもので、図２及び図８に示すように、前記脚柱５bに設けた固定ブラケット９ａと、天板３の下面に取り付けられ支軸９ｂを介して前記固定ブラケット９ａに回動可能支持された可動ブラケット９ｃと、この可動ブラケット９ｃ内に配設され、可動ブラケット９ｃを固定ブラケット９ａに対してロックする図示しないロック機構とを具備してなるもので、このロック機構の操作レバー９ｄを可動ブラケット９ｃの下辺から外側に突出させている。こうして、この天板支持装置９は、特許文献２に示されたものと同様、図２に示すように、天板３をほぼ水平な使用位置Ａと、ほぼ鉛直な収容位置Ｂとにおいて、前記天板３を家具本体２に対してロックする機能を備えている。
【００２１】
横架材１０は、例えば、角柱パイプ状のもので、図８に示すように、左右の脚柱５b、５ｂの上端近傍部同士を強固に結合している。
【００２２】
一方、家具１の天板３は、例えば、図１に示すように、長方形状のもので、左右両端部を前記天板支持装置９を介して家具本体２の脚体５に支持させている。天板３の下面には、図８に示すように、左右の可動ブラケット９ｃ同士を連結するようにしてフレーム３ａが設けてある。
【００２３】
家具１の上部幕板４は、例えば、図１に示すように、長方形状のもので、図２及び図８に示すように、上部を複数の蝶番８を介して天板３のフレーム３ａに吊持させてある。上部幕板４の下部は、自由端リンク７を介して家具本体２の脚体５に上下動可能に連結してある。
【００２４】
したがって、このような家具１であれば、特許文献１、２に示されるようなフラップテーブルと同じ機能を有する家具として使用することができる。すなわち、天板支持装置９のロック機能により天板３を水平な使用位置Ａにロックすることにより、適宜な会議や打合せなどに用いることができる。この状態から操作レバー９ｄを上方へ操作してロック状態を解除することにより、天板３を収容位置Ｂにまで回動起立させることが可能となり、片付ける際の収納効率を向上させることができる。なお、天板３の前縁近傍部に吊持された上部幕板４は、前記可動ブラケット９ｃと前記自由端リンク７により構成される平行リンク機構により支持されることになるため、天板３の使用位置Ａから収容位置Ｂへの回動に伴って、ほぼ鉛直姿勢を維持したままで下降することになる。
【００２５】
次に、家具１の用途を変更するために用いるオプション部材の構成、および取付態様について図３から図９を主に参照にして説明する。
【００２６】
オプション部材である側方幕板１２は、図３に示すように、長方形状のもので専用ブラケット１５および共用ブラケット１７を介して家具本体２に着脱可能に装着される。具体的には、側方幕板１２の内面中央付近および前縁下部近傍には、それぞれ中央ナット１２ａおよび下部ナット１２ｂが埋設してある。
【００２７】
専用ブラケット１５は、脚柱５bを内側から抱持するチャンネル状のブラケット本体１５ａと、このブラケット本体１５ａの両側に設けたフランジ部１５bとからなるもので、前記フランジ部１５ｂに前記中央ナット１２ａに対応するビス挿通孔１６が設けてある。そして、前記ビス挿通孔１６に挿通させた複数のビス１８をそれぞれ対応する中央ナット１２ａに定着することによって、前記側方幕板１２の中央部分を脚柱５bに固定することができるようになっている。
【００２８】
共用ブラケット１７は、図３及び図４に示すように、前記脚ベース５a上に跨がった状態で載置可能な下向きチャンネル状の基部１７aと、この基部１７ａから立設した前壁１７b及び側壁１７cとを備えたもので、前記前壁１７b及び側壁１７cにそれぞれビス挿通孔２１、２２を備えている。そして、側壁１７cのビス挿通孔２２に挿通させたビス１８を前記下部ナット１２ｂに定着することによって、側方幕板１２を脚ベース５a上の共用ブラケット１７に固定するようにしている。なお、上述した側方幕板１２の装着方法は片側だけの説明であるが、反対側も同様の取り付け方法である。この場合、左右の共用ブラケット１７は左右対象形状をなしている。
【００２９】
一方、オプション部材である下部幕板１９は、図７及び図８に示すように、前記上部幕板４と同一の左右方向寸法を有した細長い長方形状のもので、前記共用ブラケット１７と帯板状専用ブラケット２３を介して家具本体２および上部幕板４に着脱可能に装着される。具体的には、下部幕板１９は、図５に示すように、内面における上縁近傍部に複数の上部ナット１９ａを所定の間隔で埋設してあるとともに、内面における左右両端下縁に下部ナット１９ｂを埋設してある。
【００３０】
帯板状専用ブラケット２３には、下縁側に前記上部ナット１９ａに対応する複数の下部ビス挿通孔２４が設けられており、図５に示すように、帯板状専用ブラケット２３の下部ビス挿入孔２４にビス１８を挿通し、それぞれの挿入孔に対応する下部幕板１９の上部ナット１９ａに定着することで、帯板状専用ブラケット２３と下部幕板１９を接合している。
【００３１】
また、帯板状専用ブラケット２３の上縁側にも家具本体２の上部幕板４の下縁側に設けられた複数の下部ナット４ａに対応する複数の上部ビス挿通孔２５が設けられており、この上部ビス挿通孔２５にビス１８を挿通してそれぞれ対応する下部ナット１９ｂに定着することによって前記上部幕板４と下部幕板１９に付属する帯板状専用ブラケット２２を接合する。
【００３２】
また、共用ブラケット１７の前壁１７ｂに設けられたビス挿通孔２１にビス１８を挿通し、下部幕板１９の左右両下縁に設けられた下部ナット１９ｂに定着することで共用ブラケット１７と下部幕板１９を固定する。
【００３３】
次に、家具１にオプション部材を取り付ける具体的な手順を説明する。まず図６のように脚ベース５aの裏側の接地体取付部からキャスタ６を取り外し、アジャスタ２６と交換する。その後、図３に示すように、側方幕板１２を専用ブラケット１５を介して脚柱５bに取り付け、さらに共用ブラケット１７を接合する。そして、下部幕板１９を帯板状専用ブラケット２２を介して天板３に吊持された上部幕板４に取り付け、側方幕板１２と既に接合された共用ブラケット１７と接合する。なお、オプション部材の取り付け順序は問わず、それぞれを家具本体２に取り付ける順番は変更してもよい。
【００３４】
図７は、以上のような手順によってオプション部材を装着した状態の家具１を示す斜視図、図８は同正面図、図９は同右側面図である。なお、図８の正面図においては、上部幕板４及び下部幕板１９の右半部を切除して内部を視認できるようにしており、また、図９の右側面図においては、右側の側方幕板１２を一部切除して内部を視認できるようにしている。
【００３５】
このような態様であれば、家具本体２と天板３との間に設けたロック機構のロック状態が解除され、天板３が回動させられようとしても天板３と連動して動作する上部幕板４には下部幕板１９が接合されており、下部幕板１９は共用ブラケット１７を介して脚ベース５aの上面部に跨っている状態であるため、上部幕板４は動作しない。すなわち、下部幕板１９によって可動部材である天板３の回動を禁止することができる。また、上部幕板４と側方幕板１２は互いに垂直な位置関係をなし、上部幕板４の裏面両端部はそれぞれ側方幕板１２の端部に密着しており、天板３が回動する際に連動する上部幕板４の、脚柱５bへ近接しようとする動作を抑制することができる。すなわち、側方幕板１２も天板３の回動を抑制する役割を一部担っている。また、側方幕板１２と下部幕板１９は共用ブラケット１７を介して接合されているため、これらは強固な構造体をなし、より効果的に上部幕板４の動作を抑制する働きをしている。
【００３６】
また、アジャスタ２６とオプション部材である側方幕板１２および下部幕板１９は容易に着脱可能であるから、一般的な会議空間で使用されるフラップテーブルと、重厚な議場用のテーブルとが互いに転用可能であり、家具の意匠の変更、購買コストの削減、環境負荷の低減といった効果が実現できる。
【００３７】
なお、本発明は以上に述べたような態様には限らない。
【００３８】
以上説明した実施例では、オプション部材により可動部材の動きを完全に禁止するようにしているが、オプション部材により可動部材の動きを、多少の微動は許容した状態で抑制するようにしたものも、本発明に属するのは勿論である。
【００３９】
また、家具の種類も、テーブルに限らず、例えば、家具本体が事務用の回転椅子であって、脚体に設けたキャスタをアジャスタに交換し、側方幕板１２などに準じた幕板を装着することで重厚な議会用の椅子に変身させるような態様でもよい。この場合には、例えば、オプション部材の装着により、可動部材たる座の回転や可動部材たる背もたれの傾動などを禁止または抑制する態様が考えられる。
【００４０】
さらに、図１０は帯板状専用ブラケット２３に目地金具２７を接合したものであるが、このような態様であれば、前記下部幕板１９を上部幕板４に取り付けた場合に、図１１に示すように上部幕板４と下部幕板１９の接合部分に目地２８があらわれるので、単に上部幕板４と下部幕板１９を接合した場合と比較してより意匠性が増すことになる。
【００４１】
また、上部幕板４を具備しない家具１において、オプション部材である下部幕板１９は、家具１を正面から見たときに、天板３の略直下から脚ベース５a近傍までの高さを持つサイズであってもよい。
【００４２】
また、共用ブラケット１７の形状は上記の態様に限らず、上部幕板４もしくは下部幕板１９と側方幕板１２と脚ベース５aとが接合できる形状のものであればよい。また、共用ブラケット１７の材質は鋼板に限らず、樹脂成形品や金属の成形品であってもよい。
【００４３】
さらに、専用ブラケット１５において、脚柱５bに接触する部分に脚柱５bの傷や汚れを防止するための緩衝材を挿入する態様であってもよい。
【００４４】
また、本発明において、すべてのオプション部材を係止するにためにビス１８を使用しているが、それぞれのオプション部材は異なる態様の係合手段を用いてもよい。
【図面の簡単な説明】
【００４５】
【図１】本発明の実施形態を示す家具の斜視図。
【図２】同実施形態における家具の天板および幕板の動作を示す側面図。
【図３】同実施形態における側方幕板および下部幕板の装着手順を説明するための分解斜視図。
【図４】同実施形態における共用ブラケットを示す拡大斜視図。
【図５】同実施形態における帯板状専用ブラケットと下部幕板の接合手順を説明するための分解斜視図。
【図６】同実施形態における脚ベースに取りつけるキャスタとアジャスタの換装手順を説明するための斜視図。
【図７】同実施形態におけるオプション部材装着状態の家具を示す斜視図。
【図８】同実施形態におけるオプション部材装着状態の家具を示す一部切欠した正面図。
【図９】同実施形態におけるオプション部材装着状態の家具を示す一部切欠した側面図。
【図１０】本発明の他の実施形態を説明するための斜視図。
【図１１】同じく他の実施形態を示す家具の正面図。
【符号の説明】
【００４６】
１  家具
２  家具本体
３  天板（可動部材）
３ａ  フレーム
４  上部幕板（可動部材）
４ａ  下方ナット
５  脚体
５a  脚ベース
５b  脚柱
６  キャスタ
７  自由端リンク
８  蝶番
９  天板支持装置
９ａ  固定ブラケット
９ｂ  支軸
９ｃ  可動ブラケット
９ｄ  操作レバー
１０  横架材
１２  側方幕板
１２ａ  中央ナット
１２ｂ  下部ナット
１５  専用ブラケット
１５ａ  ブラケット本体
１５b  フランジ部
１６  ビス挿通孔
１７  共用ブラケット
１７a  基部
１７b  前壁
１７c  側壁
１８  ビス
１９  下部幕板
１９ａ  上部ナット
１９ｂ  下部ナット
２１  ビス挿通孔
２２  ビス挿通孔
２３  帯板状専用ブラケット
２４  下部ビス挿通孔
２５  上部ビス挿通孔
２６  アジャスタ
２７  目地金具
２８  目地
【図１】
2005074038.tif 000003
【図２】
2005074038.tif 000004
【図３】
2005074038.tif 000005
【図４】
2005074038.tif 000006
【図５】
2005074038.tif 000007
【図６】
2005074038.tif 000008
【図７】
2005074038.tif 000009
【図８】
2005074038.tif 000010
【図９】
2005074038.tif 000011
【図１０】
2005074038.tif 000012
【図１１】
2005074038.tif 000013